(57)【要約】  オゾン生成器（２０）と、当該オゾン生成器（２０）に流体的に接続され、生成されたオゾンをトイレ中の洗浄水に放出させるインペラ手段（３０）と、オゾンを生成させ、オゾンを洗浄水中に放出させるように制御する制御手段（４０）と、使用者の存在または作動を検出するためのセンサー手段（６０）とを有し、センサー手段（６０）が制御手段（４０）と通信し、制御手段（４０）が、センサー手段（６０）から受信される信号によってオゾン生成器（２０）を制御する、トイレのための殺菌装置である。当該装置（１００）は、イオンプラズマを空気中に直接放出するためのイオンプラズマ生成器（５０）をさらに有し、制御手段（４０）は、当該イオンプラズマ生成器（５０）を制御する。【選択図】図３
2018508678.tif 000002
【特許請求の範囲】
【請求項１】
オゾン生成器（２０）と、当該オゾン生成器（２０）に流体的に接続され、生成されたオゾンをトイレ（１０）中の洗浄水（１２）に放出させるインペラ手段（３０）と、前記オゾンを生成させ、前記オゾンを前記洗浄水（１２）中に放出させるように制御する制御手段（４０）と、使用者の存在または作動を検出するためのセンサー手段（６０）とを有し、前記センサー手段（６０）が前記制御手段（４０）と通信し、前記制御手段（４０）が、前記センサー手段（６０）から受信される信号によって前記オゾン生成器（２０）を制御する、前記トイレ（１０）のための殺菌装置であって、
イオンプラズマを空気中に直接放出するためのイオンプラズマ生成器（５０）をさらに有し、前記制御手段（４０）は、前記イオンプラズマ生成器（５０）を制御することを特徴とする装置（１００）。
【請求項２】
前記オゾン生成器（２０）、前記インペラ手段（３０）および前記イオンプラズマ生成器（５０）は、従来のトイレ（１０）に連結され得るボックス（９０）に組み込まれる請求項１に記載の殺菌装置。
【請求項３】
前記制御手段（４０）および／または前記センサー手段（６０）も、前記ボックス（９０）に組み込まれる請求項２に記載の殺菌装置。
【請求項４】
前記制御手段（４０）は、前記オゾン生成器（２０）および前記イオンプラズマ生成器（５０）を同時に作動させないように構成される請求項１〜３のいずれか一項に記載の殺菌装置。
【請求項５】
前記トイレ（１０）は、前記トイレ（１０）に対する前記洗浄水（１２）を含む水タンク（１１）を有し、前記インペラ手段（３０）は、好ましくは空気ポンプであり、前記装置（１００）は、前記水タンク（１１）の外側に配置され、前記オゾン生成器（２０）は、導管（７０）によって前記水タンク（１１）の前記洗浄水（１２）に流体的に接続される請求項１〜４のいずれか一項に記載の殺菌装置。
【請求項６】
前記導管（７０）は、前記水タンク（１１）中に配置される一端において、好ましくは多孔質の石である拡散器（７１）を有する請求項５に記載の殺菌装置。
【請求項７】
前記センサー手段（６０）は、前記制御手段（４０）において定められた使用者の存在時間Ｎの間、前記使用者の存在を検出した場合、前記制御手段（４０）に存在信号を送信する存在センサーを有し、前記制御手段（４０）は、前記存在センサー（６０）が使用者の存在を検出し、前記存在時間Ｎが経過した場合、前記オゾン生成器（２０）を作動させる請求項５または６に記載の殺菌装置。
【請求項８】
前記トイレ（１０）に対する前記洗浄水（１２）は、管（８０）を通って流れ、前記インペラ手段（３０）はベンチュリーバルブであり、前記インペラ手段（３０）は、前記管（８０）に流体的に接続される請求項１〜４のいずれか一項に記載の装置。
【請求項９】
前記管（８０）に対する前記インペラ手段（３０）の接続の上流において、前記管（８０）に流体的に接続されるフィルター（８１）を有する請求項８に記載の装置。
【請求項１０】
前記センサー手段（６０）は、前記管（８０）に対する前記インペラ手段（３０）の接続の上流において、流体的に接続される水流センサーを有し、前記センサー手段（６０）は、水流を検出した場合、前記制御手段（４０）に水流信号を送信し、前記制御手段（４０）は、前記オゾン生成器（２０）を作動させる請求項８または９に記載の装置。
【請求項１１】
オゾン生成ステップおよびイオンプラズマ生成ステップを組み合わせ、両ステップが重複することを防止し、前記オゾン生成ステップを優先させることを特徴とする、請求項１〜１０のいずれか一項に記載の装置（１００）において実施される殺菌方法。
【請求項１２】
最大生成時間Ｔｉが、前記イオンプラズマ生成ステップのために設定され、各イオンプラズマ生成ステップ後、待機時間Ｔｗｉの間の休止ステップを含み、前記最大生成時間Ｔｉおよび前記待機時間Ｔｗｉは、環境における空気の量によって定められる請求項１１に記載の殺菌方法。
【請求項１３】
イオンプラズマ生成ステップは、待機時間Ｔｗｉの間、および／または所定時間作動しなかった後に周期的に開始される請求項１２に記載の殺菌方法。
【請求項１４】
最大生成時間Ｔｍが、前記オゾン生成ステップのために設定され、各オゾン生成ステップ後、待機時間Ｔｗの間の休止ステップと、前記センサー手段（６０）の解放時間Ｎを確認するステップとを含み、前記最大生成時間Ｔｍ、前記待機時間Ｔｗおよび前記解放時間Ｎは、前記トイレ（１０）に対する洗浄水（１２）の量によって定められる請求項１１〜１３のいずれか一項に記載の殺菌方法。
【発明の詳細な説明】
【技術分野】
【０００１】
本発明は、トイレのための殺菌装置およびトイレのための殺菌方法に関する。
【背景技術】
【０００２】
トイレは、腸内細菌およびウイルス等の生物の伝播に好都合な場所である。今日、従来のトイレは、従来の洗浄用システムによる水洗を使用しており、この水洗は、手動または自動で栓によって制御される。トイレの水が流され、生物がトイレから放出されると、洗面所における汚染が発生する。導管によって洗浄水中に製品を注入する、トイレ用の静菌剤および殺菌剤のディスペンサーの使用は、当該トイレを洗浄する際に放出される生物の数を減少させることができる。しかし、ほとんどの場合、適切なメンテナンスが行われなかったり、使用の頻度と供給量との間に較正された関係がなかったりするため、それらはむしろ非効率的である。さらに、これらの製品のほとんどは、水中に放出されると汚染を生じる非常に有毒な化学剤である。
【０００３】
有毒な化学洗浄剤を使用しない装置が知られている。これに関し、特許文献である特開平０６−３３５０１は、トイレに組み込まれた殺菌および脱臭装置を開示する。当該装置は、オゾン生成器と、オゾン生成器に流体的に接続された空気ポンプからなり、生成されたオゾンをトイレの洗浄水中に放出させるインペラ手段と、使用者がトイレ上にいる際、オゾンを生成させ、当該オゾンを洗浄水中に放出させるように制御する制御手段とを備える。トイレのタンクの水中に放出されたオゾンの一部は、水に溶解してから便器中に流れ、また、その一部は、水タンクからトイレが位置する洗面所の環境中に放出される。
【発明の概要】
【０００４】
本発明の目的は、特許請求の範囲に明示するように、トイレのための殺菌装置およびトイレのための殺菌方法を提供することである。
【０００５】
本発明の一態様は、オゾン生成器と、当該オゾン生成器に流体的に接続され、生成されたオゾンをトイレ中の洗浄水に放出させる、生成されたオゾンを送り出すためのインペラ手段と、前記オゾンを生成させ、前記オゾンを前記洗浄水中に放出させるように制御する制御手段と、使用者の存在または作動を検出するためのセンサー手段とを有し、前記センサー手段が前記制御手段と通信し、前記制御手段が、前記センサー手段から受信される信号によって前記オゾン生成器を制御する、前記トイレのための殺菌装置に関する。当該装置は、イオンプラズマを空気中に直接放出するためのイオンプラズマ生成器をさらに有し、前記制御手段は、前記イオンプラズマ生成器を制御する。
【０００６】
本発明の別の態様は、上述したようなトイレのための殺菌装置を用いて実施されるトイレのための殺菌方法に関する。
【０００７】
殺菌装置は、イオンを生成し、トイレが位置する洗面所の空気中にイオンを放出するイオンプラズマ生成器を有する。これにより、トイレを殺菌するオゾンの作用を補完し、臭気を防ぎ、洗面所における雰囲気を浄化する。イオンは水中に生成されると、当該水をアルカリ性にし、ｐＨを増加させて塗装を保護する。一方、空気がイオン化されると、トイレ周辺の雰囲気中の有機揮発性成分の数が減少し、これにより殺菌処理が完了される。
【０００８】
これにより、トイレおよびトイレの環境を殺菌する効率が向上し、殺菌剤を使用する必要がなく、病原菌および細菌からトイレが清潔に保たれ、洗面所の臭気が除去される。さらに、化学洗浄剤の費用、および化学洗浄剤によって生じる汚染が低減される。
【０００９】
本発明のこれらの利点および特徴、ならびに他の利点および特徴は、本発明の図面および詳細な説明から明らかになるであろう。
【図面の簡単な説明】
【００１０】
【図１】トイレに連結された本発明の一実施形態に係る装置を備える、水タンクを有するトイレの正面図である。
【図２】連結された装置を備える図１のトイレの側面図である。
【図３】図１の装置の構成要素を示す概略図である。
【図４】トイレに連結された本発明の第２実施形態に係る装置を備える、水タンクを有しない男性用トイレの正面図である。
【図５】図４の装置の構成要素を示す概略図である。
【図６】オゾン生成サイクルに相当する、本発明の一実施形態に係る殺菌方法のステップを示す図である。
【図７】イオンプラズマ生成サイクルに相当する、本発明の一実施形態に係る殺菌方法のステップを示す図である。
【発明を実施するための形態】
【００１１】
図１は、トイレ１０に連結された、本発明の一実施形態に係る装置１００を備える、水タンク１１を有するトイレ１０の正面図を示す。図２は、連結された装置１００を備える図１のトイレ１０の側面図である。
【００１２】
今日利用可能な最も主要なブランドのトイレの水タンクは、たとえば、タンク容量によれば、３リットル以下の水、３〜９リットルの水、または９リットルを超える水を貯めることができる。これにより、完全な水洗は、水の総貯蔵量に対応し、あるいは、半分の水洗が行われる場合、その量の約半分に相当する。
【００１３】
図３は、図１の装置１００の構成要素を示す概略図である。本実施形態では、装置１００は、オゾン生成器２０と、導管３１によってオゾン生成器２０に流体的に接続され、生成されたオゾンをトイレ１０中の洗浄水１２に放出させるインペラ手段３０とを備える。また、装置１００は、オゾンを生成させ、当該オゾンを洗浄水１２中に放出させるように制御する制御手段４０と、センサー手段６０とをさらに備え、センサー手段６０は制御手段４０と通信し、制御手段４０はオゾン生成器２０と通信し、制御手段４０は、当該センサー手段６０から受信される信号によって、オゾン生成器２０を制御する。
【００１４】
オゾン生成器２０は、オゾンを生成する高電圧（コロナ放電効果）を生成することによって、オゾンを生成可能な装置である。オゾンは、貯蔵も輸送もされ得ないため、使用される場所において生成されなければならない。高周波数の使用と、エレクトロニクスにおいてなされた進歩とによって、小さなオゾン生成器が使用され得るようになった。本実施形態のオゾン生成器２０は、２００〜５００ｍｇ／時のオゾンを生成でき、洗浄水１２における１．２〜１．６ｐｐｍの濃度、すなわち、トイレ１０を殺菌するのに十分な濃度より高い濃度をもたらすオゾンを得ることができる。
【００１５】
本実施形態では、制御手段４０は、使用時間や、オゾン放出処理および残りの割り当てられた処理を管理するパラメータに関する全てのデータを含む、マイクロプロセッサーを備える電子カードである。この制御手段４０は、センサー手段６０およびオゾン生成器２０に接続されている。本実施形態では、当該制御手段４０は、送電網４１に接続されているが、自律したエネルギー貯蔵システム（図示せず）を使用することもできる。また、制御手段４０は、装置１００の稼働を示す測定器（図示せず）を管理する。
【００１６】
本実施形態では、インペラ手段３０は、空気吸入口（図示せず）を有する空気ポンプからなり、導管３１によってオゾン生成器２０に接続されている。インペラ手段３０は、音および振動の絶縁手段を備える。
【００１７】
本実施形態では、センサー手段６０は、たとえば６５センチメートルの距離において、トイレ１０の使用者の存在を検出する存在センサーを備える。使用者がセンサー手段６０を遮ると、使用者がトイレ１０を使用していると判断され、制御手段４０において予め設定された時間ｎ（たとえば３秒）が経過した後、センサー手段６０は制御手段４０に存在信号を送信し、当該制御手段４０はオゾン生成器２０を作動させる。
【００１８】
装置１００は、トイレ１０が位置する洗面所に対応する領域の空気中に、イオンプラズマを直接放出するための、イオンプラズマ生成器５０をさらに備える。このイオンプラズマ生成器５０は、制御手段４０に接続されており、当該制御手段４０は、イオンプラズマ生成器５０を制御する。イオンプラズマ生成器５０は、陰イオン生成器、陽イオン生成器または両極性イオン生成器であってもよい。本実施形態では、イオンプラズマ生成器５０は、陰イオン生成器であり、ほこりやアレルゲン等で汚染され、電子を失い、正に帯電した分子に陰イオンが供給される。これにより、分子は中性を取り戻し、汚染物質を引きつけたり、ある場合にはそれらを分解すらしたり、他の場合にはそれらを酸化させたりすることを回避し、あるいは、分子は陰イオンの付着によって単に重量を得て、呼吸可能な空気に含まれることなく地面に落下する。本実施形態のイオンプラズマ生成器５０は、オゾン化処理の殺菌処理を補完するのに十分な量より多い、１０４〜１０６電子／ｃｍ３を生成でき、トイレ１０が位置する洗面所の空間における臭気を除去できる。装置１００に係る本実施形態では、当該装置１００は、使用者が望む場合、イオンプラズマ生成器５０の作動を停止させるスイッチ５２を備え、当該スイッチ５２は、通信する制御手段４０に信号を送信する。
【００１９】
本実施形態では、オゾン生成器２０、インペラ手段３０、制御手段４０、センサー手段６０およびイオンプラズマ生成器５０は、トイレ１０に連結されたボックス９０に組み込まれる。単一のボックス９０において、装置１００の異なる構成要素をこのように組み込むことは、装置１００を任意のトイレ１０に適合可能にする可搬性という特徴を、当該装置１００に与える。さらに、装置１００のこのボックス９０は、トイレ１００の近くに配置され、これにより、オゾン生成器２０およびイオンプラズマ生成器５０を互いに近接して配置すると、洗浄水１２のオゾン化処理およびその後の放出、ならびに便器１３の殺菌を、当該トイレ１０の周囲の環境の空気のイオン化処理、イオンプラズマのボックス９０からの放出および出口５１を介した室内の空気への流入と組み合わせられるので、殺菌処理の効率を向上させることができる。
【００２０】
装置１００のボックス９０は、当該装置１００の外側であって、当該装置１００の近傍に配置されるので、トイレ１０の水タンク１１の相対湿度からは幾分離れており、オゾンは高電圧マイクロ放電によって生成されるため、洗浄水１２は電気的に荷電しにくい。ボックス９０が外側にあるため、制御手段４０は、オゾン生成器２０を作動させる場合、空気を外側から吸収し、オゾン生成器２０に通過させるインペラ手段３０を同時に始動させる。オゾンを含む空気は、出口２１を通ってボックス９０から流出し、オゾン生成器２０の出口２１とタンク１１の洗浄水１２とを接続する導管７０を通って流れながら、トイレ１０のタンク１１の洗浄水１２中に放出される。水中にオゾンを放出する効率を向上させるために、導管７０は、洗浄水１２に差し込まれる一端において拡散器７１を備え、本実施形態では、当該拡散器７１は多孔質の石である。
【００２１】
図４は、トイレ１０に連結された、本発明の第２実施形態に係る装置１００を備える、水タンクを有しない男性用トイレ１０の正面図である。図５は、図４の装置１００の構成要素を示す概略図である。
【００２２】
この第２実施形態では、第１実施形態と同様に、装置１００は、オゾン生成器２０と、導管３１によってオゾン生成器２０に流体的に接続され、生成されたオゾンをトイレ１０中の洗浄水１２に放出させるインペラ手段３０とを備える。また、第１実施形態と同様に、装置１００は、オゾンを生成させ、当該オゾンを洗浄水１２中に放出させるように制御する制御手段４０と、制御手段４０と通信するセンサー手段６０とをさらに備え、制御手段４０は、同様にオゾン生成器２０とも通信し、制御手段４０は、当該センサー手段６０から受信される信号によって、オゾン生成器２０を制御する。また、第１実施形態と同様に、装置１００は、イオンプラズマを空気中に直接放出するためのイオンプラズマ生成器５０をさらに備え、制御手段４０は、当該イオンプラズマ生成器５０を制御する。
【００２３】
オゾン生成器２０、イオンプラズマ生成器５０および制御手段４０は、装置１００に係る第１実施形態における特徴と同じ特徴を有する。
【００２４】
本実施形態では、インペラ手段３０は、三方ベンチュリーバルブからなる。男性用トイレ１０中に放出される洗浄水１２は、入口管８０を通って流れる。また、本実施形態でも、オゾン生成器２０、イオンプラズマ生成器５０、制御手段４０、センサー手段６０およびインペラ手段３０は、ボックス９０に組み込まれる。これにより、可搬性の特徴を装置１００に与え、当該装置１００に係る第１実施形態において記載した特徴と同じ特徴を装置１００に与える。このことは、トイレ１０への入口前の管８０に当該装置１００を連結することによって、装置１００を任意の男性用トイレ１０に設置可能にする。インペラ手段３０は、管８０に直列に接続される二つの口を有し、第３の口は、導管３１によってオゾン生成器２０に接続されている。
【００２５】
装置１００に係る本実施形態では、センサー手段６０は、インペラ手段３０の上流の管８０に流体的に接続された水流センサーからなる。当該センサー手段６０は、管８０を通過する水流を検出する。水フィルター８１は、センサー手段６０の上流の管８０に流体的に接続される。装置１００に係る本実施形態では、当該水フィルター８１は、連続して配置された異なるメッシュの二つのフィルターを備え、これにより、水は、オゾン注入位置に到達する前に濾過される。
【００２６】
水フィルター８１は、一方では、オゾンの適切な注入を妨げたり、オゾンと反応して不必要な副産物を生成したりし得る石灰残留物、および他の物質の懸濁残留物等の不純物から水を浄化し、他方では、水圧を低下させ、水流を減少させ、３０％までの水の節約をもたらすという二つの機能を有する。
【００２７】
男性用トイレ１０は、洗浄水１２を管８０に通過させる遮断バルブ（図示せず）を備え、当該遮断バルブは、使用者によって手動で、または存在センサー（図示せず）から来る信号によって作動させられ得る。第１の場合では、洗浄水１２はセンサー手段６０を通って流れ、センサー手段６０は、水流を検出すると制御手段４０に信号を送信し、当該制御手段４０は、オゾン生成器２０を作動させる。第２の場合では、トイレ１０の前の使用者の存在を検出して時間ｎが経過した後、存在センサーは、遮断バルブを作動させる制御手段４０に信号を送信し、当該遮断バルブは、管８０を通ってセンサー手段６０を通る水流をもたらす。装置１００に係る第１実施形態と同様に、センサー手段６０は、制御手段４０に信号を送信し、当該制御手段４０は、ボックス９０の入口２２を介して外側から空気を取り込むオゾン生成器２０を作動させる。いずれの場合でも、インペラ手段３０を通る水の通過は、第三の口において負圧を生じさせ、オゾン生成器２０において生成されるオゾンを管８０中に通過させ、当該オゾンは、当該管８０を通って流れる水に溶解する。
【００２８】
トイレ１０のための殺菌装置１００の二つの実施形態のいずれでも、制御手段４０は、オゾン生成器２０およびイオンプラズマ生成器５０を同時に作動させないように構成され、イオンプラズマ生成器５０は、オゾン生成器２０が作動していない時間の間隔において作動させられる。
【００２９】
本発明のトイレ１０のための殺菌方法は、たとえば、図１〜５に示すようなトイレ１０のための殺菌装置１００を用いて実施される。本発明の方法では、オゾンおよびイオンが同時に放出されることがない。これにより、二つの要素が同時に作用してエネルギーを消費することがないため、また、オゾンが後に水中に放出されると、オゾンがイオンの機能に取って代わるのでイオン化が不要であるため、使用中の電荷を防ぎ、エネルギー効率を向上させる。本発明の殺菌方法は、オゾン生成サイクルおよびイオンプラズマ生成サイクルを組み合わせ、両サイクルが重複することを防止し、オゾン生成ステップを優先させる。したがって、当該オゾンが作用しない場合、すなわち、洗浄水１２が使用されない場合、イオン化はオゾンの完全な補完になる。洗浄水１２が使用される場合、作用するのはオゾンになる。
【００３０】
図６は、オゾン生成サイクルに相当する、本発明の一実施形態に係る殺菌方法のステップを示す図である。このサイクルは、水に溶解したオゾンの量および状態が、余分な量のオゾンを放出させるほど過度に達しないように保証でき、これにより、周囲の雰囲気にオゾンを溢れさせることを防止できる。オゾンの量は、水タンク１１の洗浄水１２のリットル数、または男性用トイレ１０における管８０を通って流れる水に依存する。これにより、いずれの場合でも、水および空気の両方に放出されるオゾンの量が制御され、空気および水におけるオゾンの分解時間に従って、雰囲気を過負荷にしないために、待機時間を設定および変更できる。
【００３１】
オゾン生成サイクルに相当する方法は、
−センサー手段６０が、時間ｎの間使用者の存在を検出した場合、またはトイレ１０の管８０を通って流れる水流を検出した場合、制御手段４０に信号を送信する検出ステップＳ１と、
−制御手段４０が、センサー手段６０から信号を受信した場合、オゾン生成器２０を作動させるオゾン生成ステップＳ２と、
−水中にオゾンを生成するのに必要な時間Ｔｍが経過したかどうかを制御手段４０が確認する、最大オゾン生成時間Ｔｍの確認ステップＳ３と、ここで、Ｔｍは、トイレ１０における洗浄水１２の量の関数であり、
−各オゾン生成サイクルの後にオゾン生成器２０が休止モードに入る、待機時間Ｔｗの間の休止ステップＳ５と、
を含む。この時間Ｔｗは、最大オゾン生成時間Ｔｍと共に、水中のオゾンの過負荷を防止し、最小のエネルギーひいてはオゾンの消費による装置１００の有効性を保証し、制御されないオゾンの負荷が洗面所の雰囲気中に放出されることを防止する。
【００３２】
水タンク１１を有し、センサー手段６０が存在センサーであるトイレ１０において、最大オゾン生成時間ＴｍのステップＳ３の後、オゾン生成サイクルに相当する方法は、
−オゾン生成開始後、センサー手段６０が解放時間Ｎの間もはや遮られていない（この場合、オゾン生成がもはや作動していない）かどうかを制御手段４０が確認する、解放時間Ｎの確認ステップＳ４
を含み、解放時間Ｎは、洗浄水１２の量の関数である。したがって、使用者のささいな動きがオゾン生成を妨げることを防止する。
【００３３】
図７は、イオンプラズマ生成サイクルに相当する、本発明の一実施形態に係る殺菌方法のステップを示す図である。イオンの量は、トイレ１０が位置する洗面所の大きさに依存する。これにより、本方法は、静電荷、磁場または少量のオゾンさえ生成し得る不要なプラズマを、雰囲気に与え過ぎることを防止する。
【００３４】
イオンプラズマ生成サイクルに相当する方法は、
−制御手段４０が、センサー手段６０から信号を受信した場合、オゾン生成器２０を作動させるオゾン生成ステップＳ１’と、
−オゾン生成ステップが有効でない場合、かつ、制御手段４０における所定の時間後、またはイオンプラズマ生成器５０が作動しなかった所定の時間後、制御手段４０が、イオンプラズマ生成器５０を作動させるイオンプラズマ生成ステップＳ２’と、
−イオンプラズマを生成し、空気中に放出するのに必要な時間Ｔｉが経過したかどうかを制御手段４０が確認する、最大イオンプラズマ生成時間Ｔｉの確認ステップＳ３’と、ここで、Ｔｉは、トイレ１０が位置する洗面所の大きさの容積の関数であり、
−各イオンプラズマ生成サイクルの後にイオンプラズマ生成器５０が休止モードに入る、待機時間Ｔｗｉによる休止ステップＳ４’と、ここで、この時間Ｔｗｉは、空気中のイオンプラズマの過負荷、ひいては小さい磁場または静電放電を発生させる可能性を防止し、エネルギー消費を最小限にし、
−制御手段４０が、センサー手段６０から信号を受信した場合、オゾン生成器２０を作動させるオゾン生成ステップＳ５’と、
を含む。
【図１】
2018508678.tif 000003
【図２】
2018508678.tif 000004
【図３】
2018508678.tif 000005
【図４】
2018508678.tif 000006
【図５】
2018508678.tif 000007
【図６】
2018508678.tif 000008
【図７】
2018508678.tif 000009
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
オゾン生成器（２０）と、当該オゾン生成器（２０）に流体的に接続され、当該オゾン生成器（２０）において生成されたオゾンを洗浄水（１２）中に放出させるインペラ手段（３０）と、前記オゾンを生成させ、前記オゾンを前記洗浄水（１２）中に放出させるように制御する制御手段（４０）と、使用者の存在または作動を検出するためのセンサー手段（６０）とを有し、前記センサー手段（６０）が前記制御手段（４０）と通信し、前記制御手段（４０）が、前記センサー手段（６０）から受信される信号によって前記オゾン生成器（２０）を制御する殺菌装置（１００）を有するトイレであって、
前記装置（１００）は、イオンプラズマを空気中に直接放出するためのイオンプラズマ生成器（５０）をさらに有し、前記制御手段（４０）は、前記イオンプラズマ生成器（５０）を制御し、前記オゾン生成器（２０）および前記イオンプラズマ生成器（５０）を同時に作動させないように構成されることを特徴とするトイレ。
【請求項２】
前記オゾン生成器（２０）、前記インペラ手段（３０）および前記イオンプラズマ生成器（５０）は、従来のトイレ（１０）に連結され得るボックス（９０）に組み込まれる請求項１に記載のトイレ。
【請求項３】
前記制御手段（４０）および／または前記センサー手段（６０）も、前記ボックス（９０）に組み込まれる請求項２に記載のトイレ。
【請求項４】
前記トイレに対する前記洗浄水（１２）を含む水タンク（１１）を有し、前記インペラ手段（３０）は、空気ポンプであり、前記装置（１００）は、前記水タンク（１１）の外側に配置され、前記オゾン生成器（２０）は、導管（７０）によって前記水タンク（１１）の前記洗浄水（１２）に流体的に接続される請求項１〜３のいずれか一項に記載のトイレ。
【請求項５】
前記導管（７０）は、前記水タンク（１１）中に配置される一端において拡散器（７１）を有する請求項４に記載のトイレ。
【請求項６】
前記センサー手段（６０）は、前記制御手段（４０）において定められた前記使用者の存在時間ｎの間、前記使用者の存在を検出した場合、前記制御手段（４０）に存在信号を送信する存在センサーを有し、前記制御手段（４０）は、前記存在センサー（６０）が前記使用者の存在を検出し、前記存在時間ｎが経過した場合、前記オゾン生成器（２０）を作動させる請求項４または５に記載のトイレ。
【請求項７】
前記トイレに対する前記洗浄水（１２）は、管（８０）を通って流れ、前記インペラ手段（３０）はベンチュリーバルブであり、前記インペラ手段（３０）は、前記管（８０）に流体的に接続される請求項１〜３のいずれか一項に記載のトイレ。
【請求項８】
前記管（８０）に対する前記インペラ手段（３０）の接続の上流において、前記管（８０）に流体的に接続されるフィルター（８１）を有する請求項７に記載のトイレ。
【請求項９】
前記センサー手段（６０）は、前記管（８０）に対する前記インペラ手段（３０）の接続の上流において、前記管（８０）に流体的に接続される水流センサーを有し、前記センサー手段（６０）は、水流を検出した場合、前記制御手段（４０）に水流信号を送信し、前記制御手段（４０）は、前記オゾン生成器（２０）を作動させる請求項７または８に記載のトイレ。
【請求項１０】
オゾン生成ステップおよびイオンプラズマ生成ステップを組み合わせ、両ステップが重複することを防止し、前記オゾン生成ステップを優先させることを特徴とする、請求項１〜９のいずれか一項に記載のトイレにおいて実施される殺菌方法。
【請求項１１】
最大生成時間Ｔｉが、前記イオンプラズマ生成ステップのために設定され、各イオンプラズマ生成ステップ後、待機時間Ｔｗｉの間の休止ステップをさらに含み、前記最大生成時間Ｔｉおよび前記待機時間Ｔｗｉは、前記トイレが位置する環境における空気の量によって定められる請求項１０に記載の殺菌方法。
【請求項１２】
前記イオンプラズマ生成ステップは、前記待機時間Ｔｗｉの間、および／または所定時間作動しなかった後に周期的に開始される請求項１１に記載の殺菌方法。
【請求項１３】
最大生成時間Ｔｍが、前記オゾン生成ステップのために設定され、各オゾン生成ステップ後、待機時間Ｔｗの間の休止ステップと、前記センサー手段（６０）の解放時間Ｎを確認するステップとをさらに含み、前記最大生成時間Ｔｍ、前記待機時間Ｔｗおよび前記解放時間Ｎは、前記トイレに対する前記洗浄水（１２）の量によって定められる請求項１０〜１２のいずれか一項に記載の殺菌方法。
【手続補正３】
【補正対象書類名】明細書
【補正対象項目名】０００１
【補正方法】変更
【補正の内容】
【０００１】
本発明は、殺菌装置を有するトイレおよびトイレのための殺菌方法に関する。
【手続補正４】
【補正対象書類名】明細書
【補正対象項目名】０００４
【補正方法】変更
【補正の内容】
【０００４】
本発明の目的は、特許請求の範囲に明示するように、殺菌装置を有するトイレおよびトイレのための殺菌方法を提供することである。
【手続補正５】
【補正対象書類名】明細書
【補正対象項目名】０００５
【補正方法】変更
【補正の内容】
【０００５】
本発明の一態様は、オゾン生成器と、当該オゾン生成器に流体的に接続され、当該オゾン生成器において生成されたオゾンを洗浄水中に放出させる、生成されたオゾンを送り出すためのインペラ手段と、前記オゾンを生成させ、前記オゾンを前記洗浄水中に放出させるように制御する制御手段と、使用者の存在または作動を検出するためのセンサー手段とを有し、前記センサー手段が前記制御手段と通信し、前記制御手段が、前記センサー手段から受信される信号によって前記オゾン生成器を制御する殺菌装置を有するトイレに関する。前記装置は、イオンプラズマを空気中に直接放出するためのイオンプラズマ生成器をさらに有し、前記制御手段は、前記イオンプラズマ生成器を制御し、前記オゾン生成器および前記イオンプラズマ生成器を同時に作動させないように構成される。
【国際調査報告】
2018508678.tif 000010
2018508678.tif 000011
2018508678.tif 000012
2018508678.tif 000013